(57)【要約】【課題】情報表示部材を変更することの可能なバックルを提供する。【解決手段】バックルは、筒状をなす雌部材２に雄部材１が脱離可能に挿着される。バックルは、情報を表示する情報表示部材３と、情報表示部材３を雌部材２に対して着脱する着脱手段としての係合部３１と係合孔２７と、係合突部３２と係合溝２８とを備える。係合部３１と係合孔２７と、係合突部３２と係合溝２８とは、雌部材２から情報表示部材３が離脱することを、雄部材１と雌部材２との係合により不可能とし、雄部材１と雌部材２との非係合により可能とする。【選択図】図１
2013075063.tif 000002
【特許請求の範囲】
【請求項１】
筒状をなす雌部材に雄部材が脱離可能に挿着されるバックルであって、
情報を表示する情報表示部材と、
前記情報表示部材を前記雌部材に対して着脱する着脱手段と、を備え、
前記着脱手段は、
前記雌部材から前記情報表示部材が離脱することを、
前記雄部材と前記雌部材との係合により不可能とし、
前記雄部材と前記雌部材との非係合により可能とする
ことを特徴とするバックル。
【請求項２】
請求項１に記載のバックルにおいて、
前記雌部材に前記情報表示部材を解除可能に仮止めする仮止め手段を備え、
前記着脱手段は、
前記非係合の状態で前記仮止めの解除を可能とし、
前記係合の状態で前記仮止めの解除を不可能にする
ことを特徴とするバックル。
【請求項３】
請求項１又は２に記載のバックルにおいて、
前記着脱手段は、
前記情報表示部材を表裏交換して前記雌部材に取り付ける表裏交換構造を備える
ことを特徴とするバックル。
【請求項４】
請求項１〜３のいずれか一項に記載のバックルにおいて、
前記着脱手段は、
前記情報表示部材を前記雌部材に嵌合させる嵌合構造を備える
ことを特徴とするバックル。
【請求項５】
請求項４に記載のバックルにおいて、
前記着脱手段は、
前記嵌合構造に加え、前記係合の状態において前記雌部材に嵌合した前記情報表示部材を前記雄部材が係合する係合構造を備える
ことを特徴とするバックル。
【発明の詳細な説明】
【技術分野】
【０００１】
本発明は、雄部材が雌部材に着脱可能なバックルに関する。
【背景技術】
【０００２】
従来から、特許文献１に記載のように、名前や誕生日、血液型等の情報が表示されたプレートである情報表示部材が取り付けられたベルト用のバックルが考案されている。特許文献１に記載のバックルは、特に緊急の事態において本人確認する際に身分証の代わりに使用することを目的としている。また、情報表示部材をバックルの裏面に設けることで、バックルの外観が損なわれないようにしている。
【先行技術文献】
【特許文献】
【０００３】
【特許文献１】実開昭５８−１００６０８号公報
【発明の概要】
【発明が解決しようとする課題】
【０００４】
しかしながら、特許文献１に記載のバックルでは、情報表示部材がバックルの裏面に固着されているため、情報表示部材に表示される情報の変更が難しい。そのため、情報表示部材を備え、当該情報表示部材の情報を容易に変更できるバックルが求められていた。
【０００５】
本発明は、こうした実情に鑑みてなされたものであり、その目的は、情報表示部材を備え、当該情報表示部材の情報を変更できるバックルを提供することにある。
【課題を解決するための手段】
【０００６】
以下、上記目的を達成するための手段及びその作用効果について説明する。
本発明の一態様では、筒状をなす雌部材に雄部材が脱離可能に挿着されるバックルであって、情報を表示する情報表示部材と、前記情報表示部材を前記雌部材に対して着脱する着脱手段と、を備え、前記着脱手段は、前記雌部材から前記情報表示部材が離脱することを、前記雄部材と前記雌部材との係合により不可能とし、前記雄部材と前記雌部材との非係合により可能とする。
【０００７】
上述した情報表示部材の情報が変更される場合とは、通常、情報表示部の情報が確認される場合ではなく、情報表示部材の情報が新たな情報に更新される場合である。雄部材と雌部材とから構成されるバックルとは、例えば鞄やバックパック等に用いられる。このようなバックルにて情報表示部材の情報が更新される場合とは、一般には、利用者によってバックルが使用されていない場合、すなわち雄部材と雌部材との連結機能がバックルに対して求められない場合である。一方、情報表示部材の情報が確認される場合とは、利用者によってバックルが使用されている場合、すなわち雄部材と雌部材との連結機能がバックルに対して求められる場合が少なくない。
【０００８】
この点、上記態様によれば、雌部材に取り付けられた情報表示部材が、雄部材と雌部材との係合により離脱不能になり、雄部材と雌部材との非係合により離脱可能となる。このため、雄部材が雌部材から離脱する非係合状態になることで、情報表示部材の情報が変更可能になる。また、雄部材が雌部材と係合する係合状態では、情報表示部材が雌部材から離脱しないため、こうしたバックルの使用時に情報表示部材が雌部材から脱落することがない。
【０００９】
本発明の一態様では、前記雌部材に前記情報表示部材を解除可能に仮止めする仮止め手段を備え、前記着脱手段は、前記非係合の状態で前記仮止めの解除を可能とし、前記係合の状態で前記仮止めの解除を不可能にする。
【００１０】
上記態様によれば、雄部材と雌部材との係合が解除されたとしても仮止め手段によって情報表示部材が雌部材に仮止めされるため、雄部材と雌部材との係合の解除と同時に情報表示部材が雌部材から脱落することを抑えることが可能である。
【００１１】
本発明の一態様では、前記着脱手段は、前記情報表示部材を表裏交換して前記雌部材に取り付ける表裏交換構造を備える。
上記態様によれば、着脱手段が表裏交換構造を備えたので、情報表示部材の表裏を交換して雌部材に取り付けることができる。
【００１２】
本発明の一態様では、前記着脱手段は、前記情報表示部材を前記雌部材に嵌合させる嵌合構造を備える。
上記態様によれば、着脱手段が嵌合構造を備えたので、情報表示部材を雌部材に取り付ける際には、嵌合すればよく、ユーザによる雌部材に対する情報表示部材の着脱操作を容易に行うことができる。
【００１３】
本発明の一態様では、前記着脱手段は、前記嵌合構造に加え、前記係合の状態において前記雌部材に嵌合した前記情報表示部材を前記雄部材が係合する係合構造を備える。
上記態様によれば、着脱手段が嵌合構造に加え係合構造を備えたので、雌部材に嵌合した情報表示部材を雄部材によって係合する。このため、バックルの雄部材と雌部材とが係合した係合状態では、情報表示部材を雄部材と雌部材とによって確実に保持することができる。
【発明の効果】
【００１４】
本発明によれば、バックルに設けられた情報表示部材の情報を容易に変更できる。
【図面の簡単な説明】
【００１５】
【図１】（ａ）本発明におけるバックルの第１の実施形態の構成を示す分解斜視図、（ｂ）同実施形態における情報表示部材の裏面を示す図。
【図２】同実施形態における非係合状態のバックルの構成を示す斜視図。
【図３】同実施形態における係合状態のバックルの構成を示す斜視図。
【図４】（ａ）同実施形態における図２のＡ−Ａ断面を示す断面図、（ｂ）同実施形態における図３のＢ−Ｂ断面を示す断面図。
【図５】（ａ）本発明における第２の実施形態の非係合状態のバックルの断面を示す図、（ｂ）同実施形態における係合状態のバックルの断面を示す図。
【図６】（ａ）本発明における第３の実施形態の非係合状態のバックルの断面を示す図、（ｂ）同実施形態における係合状態のバックルの断面を示す図。
【発明を実施するための形態】
【００１６】
（第１の実施形態）
以下、本発明を具体化した第１の実施形態について図１〜図４を参照して説明する。
図１（ａ）に示されるように、バックルを構成する雄部材１は、平面視方向から見てＥ字形状をなす。直方体状をなす雄側基部１１には、ベルト等の帯体が挿通される雄側スリット１１ａが上下方向に沿って形成されている。
【００１７】
雄側基部１１における上下方向の両端部には、膨大した先端部１２を有して互いに対向する上下一対の脚部１３が、雄側スリット１１ａに対して直交する方向である左右方向に延設されている。これら上下一対の脚部１３の各々には、該脚部１３における雄側基部１１側に、上下方向の肉厚が先端部１２よりも小さいヒンジ部１５が形成されている。また、一対の先端部１２の各々は、他方の先端部１２とは反対側に突出する係合部としての係合突起１６を有している。そして、一対の先端部１２が互いに近づくように一対の脚部１３が左右方向の外力を受けると、一対の先端部１２が互いに近づくように、一対の脚部１３が撓曲する。なお、図１の紙面に対して直交する方向である厚さ方向では、上下一対の脚部１３における厚さは、該脚部１３が延びる方向の全体にわたり略均一であって、且つ雄側基部１１の厚さよりも小さい。
【００１８】
バックルを構成する雌部材２の雌側基部２２には、ベルト等の帯体が挿通される雌側スリット２５が上下方向に沿って形成されている。雌側基部２２には、上下両側が括れた矩形筒状の筒部２１が、雌側スリット２５に対して直交する方向に延設されている。筒部２１の先端側には、上述した上下一対の脚部１３及びガイド部１４の挿脱される挿脱孔２３が、雌側スリット２５に対して直交する方向に沿って形成されている。このような挿脱孔２３が筒部２１に形成されることによって、該筒部２１は、上記上下一対の脚部１３及びガイド部１４を収納する収納部として機能する。
【００１９】
上記筒部２１において括れた部分には、挿脱孔２３と連通する被係合部としての上下一対の被係合孔２４が互いに対向して形成されている。
本実施例のバックルには、個人に関する情報等が記載された情報表示部材３が設けられている。すなわち、情報表示部材３は、板状であって、雌部材２の上部２６に装着されている。情報表示部材３における雌部材２の基端側端部下面には、側面視においてＬ字状の係合部３１が設けられている。また、情報表示部材３における雌部材２の先端側端部下面には、先端側から見て逆Ｔ字状の係合突部３２が設けられている。係合突部３２は、情報表示部材３の下方へ延出する基部３２ａと、基部３２ａの左右両側方へ延出する側方延出部３２ｂとを備えている。
【００２０】
一方、雌部材２の筒部２１の上部２６の基端側には、係合部３１を挿し込んで係合する係合孔２７が形成されている。この係合孔２７と係合部３１とが嵌合構造であって、着脱手段を構成する。また、雌部材２の筒部２１の上部２６の先端側には、係合突部３２を挿入して係合する係合溝２８が形成されている。係合溝２８の幅は、係合突部３２の基部３２ａの幅とほぼ同一である。よって、係合突部３２の側方延出部３２ｂが筒部２１の挿脱孔２３の内壁に当接して、情報表示部材３が雌部材２の上部２６から離間することを規制する。この係合溝２８と係合突部３２とが係合構造であって、着脱手段を構成する。係合溝２８には、係合溝２８に挿入された係合突部３２の抜け出しを規制する左右一対の規制突起２９が形成されている。また、雄部材１のガイド部１４の雄側基部１１側には、雄部材１が雌部材２に係合した際に、係合溝２８に挿入された係合突部３２の抜け出しを、係合溝２８に挿入されることで規制する規制突部１７が形成されている。なお、規制突起２９が仮止め手段として機能する。
【００２１】
図１（ｂ）に示されるように、情報表示部材３の裏面には、個人に関する情報が記載可能な記載欄３３が設けられている。記載欄３３には、名前（ＮＡＭＥ）、血液型（ＢＬＯＯＤ）、アレルギー（ＡＬＬＥＲＧＹ）、医薬品（ＭＥＤＩＣＩＮＥ）が記載されている。なお、記載欄３３の項目は用途に合わせて任意に設定可能である。
【００２２】
次に、上記構成からなるバックルの作用について説明する。
まず、図１（ａ）に示されるように、雄部材１と雌部材２とが非係合状態であるとき、情報表示部材３の取り外しが可能となる。すなわち、情報表示部材３が雌部材２から取り外されると、情報表示部材３の係合部３１が雌部材２の係合孔２７に係合していないとともに、情報表示部材３の係合突部３２が雌部材２の係合溝２８と係合していない。
【００２３】
図２及び図４（ａ）に示されるように、情報表示部材３が雌部材２に取り付けられる際には、情報表示部材３の基端側の係合部３１が雌部材２の係合孔２７に挿入された後、情報表示部材３の係合突部３２が雌部材２の上部２６に沿って係合溝２８に挿入され、係合突部３２の基部３２ａが規制突起２９よりも奥に配置される。
【００２４】
図３及び図４（ｂ）に示されるように、雄部材１と雌部材２とが係合状態になると、雌部材２の上部２６に取り付けられた情報表示部材３は、雌部材２の筒部２１から取り外せないようになる。すなわち、情報表示部材３の係合部３１が雄部材１のガイド部１４の上面と接することで係合部３１の係合孔２７からの挿脱を規制するとともに、係合溝２８に雄部材１の規制突部１７が挿入されることで係合溝２８からの係合突部３２の抜け出しが規制される。なお、情報表示部材３が規制突起２９の規制を超える過度な力で引っ張られると、係合溝２８の溝幅が広がり、係合突部３２が規制突起２９よりも外側へ変位する。
【００２５】
そして、緊急時等に情報表示部材３が使用される際には、雄部材１と雌部材２とが係合状態から非係合状態に遷移する。すなわち、雄部材１の左右一対の脚部１３の先端部１２が内側に押されることで、先端部１２の係合突起１６と被係合孔２４との係合が解除され、先端部１２が雌部材２の挿脱孔２３内に通過可能となる。そして、図１に示されるように、雄部材１との係合が解除された雌部材２から情報表示部材３が取り外され、裏面の記載欄３３が確認されることで、ユーザのパーソナル情報が確認されることとなる。
【００２６】
次いで、個人情報の確認が終わった際には、情報表示部材３が表向きで雌部材２に取り付けられる。図３に示されるように、雄部材１が雌部材２に挿入され、脚部１３の先端部１２が雌部材２の被係合孔２４に係合されることで、バックルが係合状態となる。
【００２７】
さて、本例のバックルでは、雌部材２の上部２６に情報表示部材３が設けられるため、雄部材１と雌部材２とが係合する係合状態では、情報表示部材３の取り外しが規制される。一方で、非係合状態では、情報表示部材３が取り外し可能となる。よって、雄部材１と雌部材２とが係合した係合状態では情報表示部材３が雌部材２に固定され、雄部材１と雌部材２とが非係合状態に遷移することで個人情報が確認可能となる。
【００２８】
以上、説明した実施形態によれば、以下の効果を奏することができる。
（１）雄部材１と雌部材２とから構成されるバックルに情報表示部材３が設けられ、係合孔２７と係合部３１と、係合溝２８と係合突部３２とによって係合状態では離脱できず、非係合状態では離脱できる。このため、雄部材１を雌部材２から離脱して非係合状態とすることで、情報表示部材３を雌部材２から離脱することができるので、情報表示部材３の情報を容易に変更できる。
【００２９】
また、雄部材１と雌部材２とが係合した係合状態では情報表示部材３が雌部材２から離脱不能になるため、雄部材１と雌部材２とが係合した使用時には、情報表示部材３が雌部材２から脱落することがない。さらに、鞄やバックパック等の装身具や衣類等に用いられるバックルに情報表示部材３が設けられるため、ベルトの取り外しにより情報が確認される態様と比べて、利用者の着衣が乱れることを防ぐこともできる。そして、緊急の事態が発生した際には、バックルの雄部材１と雌部材２との係合が解除され、情報表示部材３が雌部材２から取り外されることによって、情報表示部材３に記載された情報が確認可能になる。
【００３０】
（２）バックルの雄部材１と雌部材２との係合が解除されたとしても規制突起２９によって情報表示部材３が雌部材２に仮止めされるので、非係合状態においても情報表示部材３が雌部材２から脱落することを抑制できる。また、上述した仮止めが解除される程度の力で情報表示部材３が操作されることで情報表示部材３が雌部材２から取り外されることとなる。
【００３１】
（３）係合孔２７と係合部３１と、係合溝２８と係合突部３２とが嵌合構造を備えたので、情報表示部材３を雌部材２に取り付ける際には、嵌合すればよく、ユーザによる雌部材２に対する情報表示部材３の着脱操作を容易に行うことができる。
【００３２】
（４）係合孔２７と係合部３１と、係合溝２８と係合突部３２とが嵌合構造に加え係合構造を備え、雌部材２と嵌合する情報表示部材３が雄部材１と係合する。このため、バックルの雄部材１と雌部材２とが係合した係合状態では、情報表示部材３を雄部材１と雌部材２とによって確実に保持することができる。
【００３３】
（５）係合突部３２と、係合突部３２に係止する規制突起２９とを備え、雌部材２から離脱する離脱方向へ情報表示部材３が変位することを規制突起２９が規制することで、情報表示部材３が雌部材２に仮止めされる。そして、規制突起２９による規制を超える程度の力で情報表示部材３が離脱方向へ変位されることで仮止めが解除される。
【００３４】
（第２の実施形態）
以下、本発明を具体化した第２の実施形態について、図５を参照して説明する。この実施形態のバックルは、係合溝２８と係合突部３２とに代わって、規制ピンと規制孔とが設けられている点、情報表示部材３の裏表を変更して雌部材に取り付けられる裏表交換構造を備えた点が上記第１の実施形態と異なっている。以下、第１の実施形態との相違点を中心に説明する。
【００３５】
図５（ａ）に示されるように、情報表示部材３は、板状であって、上下方向に突出部を備えていない。このため、情報表示部材３は、その表側と裏側とを雌部材２に対して交換することが可能である。
【００３６】
雌部材２の上部２６の雌側基部２２側には、情報表示部材３を紙面左右方向に嵌め込む嵌合凹部４１が形成されている。また、雌部材２の上部２６の先端側には、情報表示部材３の紙面左右方向へ移動を規制する円柱状の規制ピン４２が形成されている。規制ピン４２の高さは、情報表示部材３の厚みとほぼ同じである。情報表示部材３の雌部材２の先端側には、雌部材２の規制ピン４２を挿入する規制孔３４が形成されている。なお、規制ピン４２が仮止め手段として機能する。また、嵌合凹部４１が嵌合構造として機能する。
【００３７】
一方、雄部材１の雄側基部１１のガイド部１４側には、雄側スリット１１ａと直交する方向へ突出する規制部１８が形成されている。図５（ｂ）に示されるように、規制部１８は、雄側基部１１の最上部に形成され、雌部材２に雄部材１が挿着された際に、規制ピン４２の上部に位置する。なお、規制ピン４２と規制部１８とが係合構造を構成する。
【００３８】
次に、上記構成からなるバックルの作用について説明する。
まず、図５（ａ）に示されるように、雄部材１と雌部材２とが非係合状態であるとき、情報表示部材３は、表示したい面を選択して、嵌合凹部４１に挿し込まれる。そして、情報表示部材３の規制孔３４が雌部材２の規制ピン４２に係合する。
【００３９】
次に、図５（ｂ）に示されるように、雄部材１と雌部材２とが係合状態であるとき、雄部材１の規制部１８が雌部材２の規制部１８が規制ピン４２の上端部を覆い、情報表示部材３を抜け止めする。これにより、雄部材１を雌部材２に挿着した係止状態では情報表示部材３が固定され、雄部材１を雌部材２から取り外すことで個人情報を容易に確認できる。また、情報表示部材３の裏表を交換して取り付けることができるので、情報を表示した状態で、雄部材１を雌部材２に挿着することもできる。
【００４０】
以上、説明した実施形態によれば、第１の実施形態の（１）〜（５）に準じた効果に加え、以下の効果を奏することができる。
（６）表裏交換構造を備えたので、情報表示部材３の表裏を交換して雌部材２に取り付けることができる。
【００４１】
（第３の実施形態）
以下、本発明を具体化した第３の実施形態について、図６を参照して説明する。この実施形態のバックルは、係合溝２８と係合突部３２とに代わって、係止爪と係止爪を保持するための規制突部が設けられている点が上記第１の実施形態と異なっている。以下、第１の実施形態との相違点を中心に説明する。
【００４２】
図６（ａ）に示されるように、情報表示部材３は、板状であって、雌部材２に係止する係止爪３５，３６が紙面左右方向端部の下面に設けられている。これら係止爪３５，３６は、挿脱孔２３に挿入され、挿脱孔２３への突出量が異なる。基端側の第１係止爪３５は、雌部材２の挿脱孔２３の内壁に係止する長さに設定されている。先端側の第２係止爪３６は、雌部材２の挿脱孔２３よりも長く設定されている。なお、これら係止爪３５，３６が仮止め手段として機能する。
【００４３】
雌部材２の上部２６には、情報表示部材３を嵌合する嵌合凹部４３が形成され、係止爪３５，３６を挿通する挿通孔４４，４５が形成されている。雄部材１の雄側基部１１のガイド部１４側には、雄側スリット１１ａと直交する方向へ突出する規制突部１９が形成されている。図６（ｂ）に示されるように、規制突部１９は、雄側基部１１の上部に形成され、雌部材２に雄部材１が挿着された際に、挿脱孔２３内に挿入されて係止爪３６と挿脱孔２３の内壁との間に位置する。そして、規制突部１９は第２係止爪３６の離脱を規制する。なお、嵌合凹部４３が嵌合構造として機能する。なお、第２係止爪３６と規制突部１９とが係合構造として機能する。
【００４４】
次に、上記構成からなるバックルの作用について説明する。
まず、図６（ａ）に示されるように、雄部材１と雌部材２とが非係合状態であるとき、係止爪３５，３６の位置を合わせて情報表示部材３が雌部材２の嵌合凹部４３に嵌合される。そして、情報表示部材３の第１係止爪３５が雌部材２の挿脱孔２３の内壁に係止する。
【００４５】
次に、図６（ｂ）に示されるように、雄部材１と雌部材２とが係合状態であるとき、雄部材１の規制突部１９が雌部材２の挿脱孔２３の内壁と第２係止爪３６との間に挿入され、第２係止爪３６の離脱を規制する。これにより、雄部材１を雌部材２に挿着した係止状態では情報表示部材３が固定され、雄部材１を雌部材２から取り外すことで個人情報を容易に確認できる。
【００４６】
以上、説明した実施形態によれば、第１の実施形態の（１）〜（５）に準じた効果を奏することができる。
なお、上記実施形態は、これを適宜変更した以下の形態にて実施することができる。
【００４７】
・上記第１の実施形態のバックルでは、係合部３１をＬ字形状としたが、雌部材２に対して情報表示部材３が係合する形状であれば、他の形状を採用してもよい。また、係合部３１の情報表示部材３に対する位置は、任意に変更可能である。
【００４８】
・上記第１の実施形態のバックルでは、係合突部３２によって雌部材２の筒部２１に係合したが、係合突部３２は情報表示部材３が雌部材２に係合すれば他の形状を採用してもよい。
【００４９】
・上記第１の実施形態のバックルは、規制突起２９が省略された構成であってもよい。
・上記第１の実施形態のバックルは、規制突部１７が省略された構成であってもよい。
・上記第２の実施形態のバックルは、規制ピン４２が省略された構成であってもよい。
【００５０】
・上記第３の実施形態のバックルは、係止爪３５,３６の長さを異ならせたが、同じ長さとしてもよい。
・上記第３の実施形態のバックルは、規制突部１９に代えて、情報表示部材３の上面を覆う規制部を設けてもよい。
【００５１】
・上記各実施形態のバックルは、ガイド部１４が割愛された構成であってもよい。
・上記実施形態では、サイドリリースタイプのバックルに本発明を適用したが、フロントリリースタイプのバックルに本発明を適用してもよい。
【符号の説明】
【００５２】
１…雄部材、２…雌部材、３…情報表示部材、１１…雄側基部、１１ａ…雄側スリット、１２…先端部、１３…脚部、１４…ガイド部、１５…ヒンジ部、１６…係合突起、１７…規制突部、１８…規制部、１９…規制突部、２１…筒部、２２…雌側基部、２３…挿脱孔、２４…被係合孔、２５…雌側スリット、２６…上部、２７…係合孔、２８…係合溝、２９…規制突起、３１…係合部、３２…係合突部、３２ａ…基部、３２ｂ…側方延出部、３３…記載欄、３４…規制孔、３５…第１係止爪、３６…第２係止爪、４１…嵌合凹部、４２…規制ピン、４３…嵌合凹部、４４，４５…挿通孔。
【図１】
2013075063.tif 000003
【図２】
2013075063.tif 000004
【図３】
2013075063.tif 000005
【図４】
2013075063.tif 000006
【図５】
2013075063.tif 000007
【図６】
2013075063.tif 000008